(57)【特許請求の範囲】
【請求項１】
底部に集砂ピットを備えた沈砂池であって、該沈砂池の底部には、前記集砂ピットに向けて周囲の底部の深さが深くなる傾斜を設け、前記沈砂池の底部に設置された複数の給水ノズルに水を供給する第１のポンプと前記集砂ピット内から水をくみ出す第２のポンプとを備えて、前記沈砂池の底部に水を吐出して前記沈砂池に堆積した土砂を前記集砂ピットに集める沈砂池の集砂装置において、
前記集砂ピットは、前記沈砂池の底部の長手方向中央部に配置して形成され、
前記集砂ピットから概ね沈砂池の幅方向に延在する第１のトラフと、前記集砂ピットから概ね沈砂池の長手方向に延在する第２のトラフとをともに前記集砂ピット側が低くなるように形成して、前記第１のトラフ及び前記第２のトラフにより前記底部を領域に区分し、これらの各領域となる底部表面をそれぞれ前記集砂ピット側が低くなるように傾斜させたことを特徴とする沈砂池の集砂装置。
【請求項２】
請求項１に記載の沈砂池の集砂装置において、前記各領域にはその領域に堆積した土砂を水で前記トラフに移送する給水ノズルを設置したことを特徴とする沈砂池の集砂装置。
【請求項３】
請求項１又は２に記載の沈砂池の集砂装置において、前記領域の底部表面上に、互いに平行に複数の小トラフを設けてあることを特徴とする沈砂池の集砂装置。
【請求項４】
請求項３記載の沈砂池の集砂装置において、前記領域の底部表面上で、前記小トラフにより区分された各部毎にそれぞれ給水ノズルを配置したことを特徴とする沈砂池の集砂装置。
【請求項５】
請求項４記載の沈砂池の集砂装置において、前記給水ノズルを前記各部の沈砂池側壁に沿った位置に配置したことを特徴とする沈砂池の集砂装置。
【発明の詳細な説明】
【０００１】
【発明の属する技術分野】
この発明は、下水処理設備の沈砂池に沈澱した土砂を沈砂池の底部に設けた集砂ピット
に集めるための集砂装置に関するものである。
【０００２】
【従来の技術】
沈砂池は、終末処理場等の下水処理設備に設置され，下水中の土砂を沈澱除去するものであるので、沈砂池の使用に伴い，その底には土砂が堆積する。
【０００３】
そのため、沈砂池においては、適宜の時期にその沈砂池の底に堆積した土砂を外部に排出することが必要となり、沈砂池内に堆積した土砂は集砂ピットに集めて各種の揚砂装置により沈砂池外に排出されるようになっている。
【０００４】
ところで、堆積した土砂を集砂ピットに集めるための，従来の集砂装置には、例えば底部に集砂ピットを備えた沈砂池であって、該沈砂池の底部に複数の給水ノズルを設置して、各給水ノズルから供給される水で前記沈砂池に堆積した土砂を前記集砂ピットに集める沈砂池の集砂装置があり、この集砂装置では、沈砂池内で下水中に位置したノズルから水を噴射させて下水中で土砂を移動させるものであり、比較的簡単な装置構成によって沈砂池の底部に広く沈澱した土砂を集砂ピットに集めることができる。
【０００５】
しかし、かかる従来の集砂装置においては、下水の貯溜された沈砂池の底部に堆積された土砂を水圧に打ち勝って移動させることが必要であるので、ノズルからの水の吐出圧が高圧になっている。
【０００６】
【発明が解決しようとする課題】
従来のこの種の集砂装置において、前記ノズルから水を高圧で噴射させると、沈砂池の底部に堆積した土砂の一部が噴射水によって下水中に舞い上がって浮遊し、その後に底部に再度沈澱して堆積することとなるので、効率的に集砂することができない。
【０００７】
また、多数設置された各ノズルから同時に高圧の水を噴射するので、各ノズルからの噴射水同士が互いに衝突し、その後の噴射水の方向性が集砂に好ましい向きと異なってしまうので、その水によって集砂ピットに向けて移送しようとする土砂も必ずしも集砂ピットに移送されず、この意味からも集砂が良好に行なわれるものとはなっていない。
【０００８】
この発明は、このような事情に基づいてなされたもので、水を用いて沈砂池に堆積した土砂を集砂ピットに集めるものでありながら、集砂の効率を高めることを目的とするものである。
【０００９】
【課題を解決するための手段】
この目的を達成するために、請求項１記載の発明は、底部に集砂ピットを備えた沈砂池であって、該沈砂池の底部には、前記集砂ピットに向けて周囲の底部の深さが深くなる傾斜を設け、前記沈砂池の底部に設置された複数の給水ノズルに水を供給する第１のポンプと前記集砂ピット内から水をくみ出す第２のポンプとを備えて、前記沈砂池の底部に水を吐出して前記沈砂池に堆積した土砂を前記集砂ピットに集める沈砂池の集砂装置において、前記集砂ピットは、前記沈砂池の底部の長手方向中央部に配置して形成され、前記集砂ピットから概ね沈砂池の幅方向に延在する第１のトラフと、前記集砂ピットから概ね沈砂池の長手方向に延在する第２のトラフとをともに前記集砂ピット側が低くなるように形成して、前記第１のトラフ及び前記第２のトラフにより前記底部を領域に区分し、これらの各領域となる底部表面をそれぞれ前記集砂ピット側が低くなるように傾斜させたことを特徴とする沈砂池の集砂装置である。
【００１０】
この集砂装置によれば、水を用いて沈砂池に堆積した土砂を集砂ピットに集めるものでありながら、従来より集砂の効率を高めることができる。
【００２０】
請求項２記載の発明は、請求項１に記載の沈砂池の集砂装置において、前記各領域にはその領域に堆積した土砂を水で前記トラフに移送する給水ノズルを設置したことを特徴とする沈砂池の集砂装置である。
【００２１】
請求項３記載の発明は、請求項１又は２に記載の沈砂池の集砂装置において、前記領域の底部表面上に、互いに平行に複数の小トラフを設けてあることを特徴とする沈砂池の集砂装置である。
【００２２】
請求項４記載の発明は、請求項３記載の沈砂池の集砂装置において、前記領域の底部表面上で、前記小トラフにより区分された各部毎にそれぞれ給水ノズルを配置したことを特徴とする沈砂池の集砂装置である。
【００２３】
請求項５記載の発明は、請求項４記載の沈砂池の集砂装置において、前記給水ノズルを前記各部の沈砂池側壁に沿った位置に配置したことを特徴とする沈砂池の集砂装置である。
【００３０】
【実施例】
以下、図面に示す実施例によりこの発明を説明するが、まず図１から図８によって第１実施例を説明する。
【００３１】
この実施例は、終末処理場内のポンプ場における雨水処理設備に適用したものである。
【００３２】
この実施例の雨水処理設備１は、図６に示すように、第１の雨水沈砂池２と第２の雨水沈砂池３とを有するもので、これらの２つの雨水沈砂池２，３は上流側の流入渠（不図示）と後述のポンプ井４との間に並列に配置されている。
【００３３】
なお、これらの雨水沈砂池２，３は同様に構成されているので、以下の沈砂池の構造説明は第１の雨水沈砂池２のみについて行なうこととする。
【００３４】
すなわち、第１の雨水沈砂池２を経由する雨水処理設備１は、不図示の流入渠の下流側に不図示のゲートを介して第１の雨水沈砂池２が接続され、この第１の雨水沈砂池２の下流側が、雨水ポンプ５を備えたポンプ井４に接続されてその全体が構成されている（図２参照）。
【００３５】
そして、前記不図示のゲートの下流側で、第１の雨水沈砂池２の直近となる上流側の位置には、ダム装置６が設置されている。
【００３６】
このダム装置６は例えば気密性を備えたナイロン織布からなる袋体であって、その袋体を膨張・収縮させることにより数分程度で起伏動作が可能であり、このダム装置６を起立させることにより上流側からの雨水等の下水が第１の雨水沈砂池２へ侵入することを防止し、このダム装置６を倒伏させることによって雨水を第１の雨水沈砂池２に導くものである。
【００３７】
このダム装置６の下流側に設置された第１の雨水沈砂池２の底部７の中央部には集砂ピット８が形成され、この集砂ピット８内には揚砂ポンプ１１が設置されており、この揚砂ポンプ１１はこの発明の第２のポンプに該当するものである（図１）。
【００３８】
なお、この発明の第２のポンプを前記揚砂ポンプ１１等の揚砂装置と別個に設置することとしても本願発明を実施することができる。
【００３９】
集砂ピット８は、この第１の雨水沈砂池２内で雨水から分離して底部７の全体にわたって沈澱された土砂を集め、ここからその土砂を第１の雨水沈砂池２の外部に排出するためのものである。
【００４０】
そのため、集砂ピット８が第１の雨水沈砂池２の底部７において最深部となり、底部７の全体的形状は前記集砂ピット８に向けて周囲の底部７が深くなるように傾斜して形成されており（図３および図５参照）、この底部７には堆積した土砂を前記集砂ピット８に導く複数種類のトラフが次のように形成されている。
【００４１】
すなわち、この実施例の第１の雨水沈砂池２の底部７においては、雨水沈砂池２の長手方向の中央部分に底部７を幅方向に横断する第１のトラフ１２が形成され、雨水沈砂池２の幅方向の中央部分には第２のトラフ１３が形成されており、これらの第１および第２のトラフ１２，１３の交差部分に前記集砂ピット８が形成されている（図１）。
【００４２】
前記第１のトラフ１２において、前記集砂ピット８の両側の部分はともに集砂ピット８側が深くなるように傾斜されており（図５参照）、前記第２のトラフ１３においても集砂ピット８の両側の部分が同様に集砂ピット８側が深くなるように傾斜されている（図３参照）。
【００４３】
そして、第１の雨水沈砂池２の底部７は、このような第１のトラフ１２と第２のトラフ１３とによって４つの領域に区分されており、この底部７に形成されたこれらの各領域は、図１において前記第２のトラフ１３より下方に示され，前記第１のトラフ１２より上流側の領域を領域Ａといい、第１のトラフ１２より下流側の領域を領域Ｂという。
【００４４】
また、同図において、第２のトラフ１３より上方に示され，前記第１のトラフ１２より上流側の領域を領域Ｃといい、第１のトラフ１２より下流側の領域を領域Ｄということとする。
【００４５】
これらの領域Ａ，Ｂ，Ｃ，Ｄにおいて、底部７の表面は、概ね前記第１のトラフ１２と第２のトラフ１３との双方の傾斜に沿って傾斜した平面であり、したがって各領域となる底部７の表面はいずれもその最大傾斜線をおよそ前記集砂ピット８側に向けたものとなっている。
【００４６】
そして、これらの各領域の底部７の表面には、それぞれ前記第１のトラフ１２と平行に多数の小トラフ１４が形成されており、これらの小トラフ１４はいずれも前記第２のトラフ１３側を低く形成して、その下流端を前記第２のトラフ１３に合流させてある。これにより、小トラフ１４は、周囲の底部７から集砂ピット８に向けて深くなるように傾斜されている。
【００４７】
したがって、これらの小トラフ１４は、いずれも第２のトラフ１３を通じて集砂ピット８側の低いトラフを形成している。
【００４８】
また、前記底部７の表面上は、これらの小トラフ１４により均等な大きさの多数の小エリア７ａに区分されている。
【００４９】
これらの各小エリア７ａにおいては、雨水沈砂池２の側壁２ａに沿った位置にそれぞれ給水ノズル１５が対応して設置されており、これらの給水ノズル１５はいずれも前記第２のトラフ１３側を指向して各小エリア７ａの表面上に水を吐出するように配置されている。なお、各給水ノズル１５から吐出される水の圧力は、例えば1kg/cm2程度の比較的低圧である。
【００５０】
また、この実施例において、前記集砂ピット８に設置される揚砂ポンプ１１は、土砂混じりの水を吸引することのできる，いわゆる水中サンドポンプであって、この実施例ではスクリュー渦巻式水中ポンプである。
【００５１】
このような雨水沈砂池２の下流端部には、公知の雨水沈砂池と同様にろ格機１６が設置され、さらにその下流側に前記ポンプ井４が設置されている（図２参照）。
【００５２】
このポンプ井４は、前記のような第１の雨水沈砂池２および第２の雨水沈砂池３で土砂を分離した雨水等の下水を、雨水ポンプ５により放流渠にくみ出して排水するものである。
【００５３】
そして、この実施例においては、このポンプ井４に前記雨水ポンプ５とは別に滞溜水ポンプ１８が設置されている。
【００５４】
この滞溜水ポンプ１８はこの発明でいう第１のポンプに該当するものであり、後述するようにこの滞溜水ポンプ１８による水を前記給水ノズル１５に導き、沈砂池２，３内に堆積した土砂の集砂が行なわれる。なお、この滞溜水ポンプ１８により各給水ノズル１５から吐出される水量は、前記揚砂ポンプ１１の吐出量よりも小さく設定されたものである。
【００５５】
以上のような雨水処理設備１において、第１および第２の雨水沈砂池２，３での堆積した土砂を排出するための除砂装置は、図６に示すとおりである。
【００５６】
前記滞溜水ポンプ１８の吐出側には、第１の雨水沈砂池２に給水を行なう第１の給水系２１と，第２の雨水沈砂池３に給水を行なう第２の給水系２２とが並列に接続されており、前記滞溜水ポンプ１８を汚水沈砂池２３に接続するリリーフ回路２４が設けられている。
【００５７】
この第１の給水系２１と第２の給水系２２とは同様の回路構成であるため、以下においては第１の給水系２１について説明を行い第２の給水系２２についての説明は省略する。なお、図１において、第２の給水系２２の該当部分には第１の給水系２１の対応部分の参照番号にダッシュを付して示す。
【００５８】
前記滞溜水ポンプ１８からの管路が第１の給水系２１に分岐された後、管路はさらに５つに分岐され、この５つの分岐管には電動弁からなる集砂弁がそれぞれ設置されている。
【００５９】
第１の集砂弁２５は前記領域Ａの給水ノズル１５群への給水を、第２の集砂弁２６は前記領域Ｂの給水ノズル１５群への給水を断続するものである。第３の集砂弁２７は前記第１および第２のトラフ１２，１３の端部に設置された各給水ノズル１５への給水を断続するもので、第４の集砂弁２８は領域Ｄの給水ノズル１５群，第５の集砂弁２９は領域Ｃの給水ノズル１５群への給水を断続するものである。
【００６０】
なお、前記揚砂ポンプ１１の吐出側から延びる管路３１は汚水沈砂池２３に導かれ、雨水沈砂池２，３から排出した土砂は汚水沈砂池２３に送られるようになっている。
【００６１】
このような除砂装置は、不図示のマイクロコンピュータによって制御されており、集砂動作をスタートさせると、例えば図７，図８に示す手順にしたがってその動作を行なう。
ステップ１
まず、第１および第２の雨水沈砂池２，３のそれぞれに設置されたダム装置６（図７において、ダム１号，ダム２号と記す）に不図示のコンプレッサからの圧縮空気を供給して起立状態とする。これによって、各雨水沈砂池２，３への下水等の侵入が防止される。
ステップ２
次に、滞溜水ポンプ切換弁１９を開く。滞溜水ポンプ１８からの水を汚水沈砂池２３に移送する準備である。
ステップ３
滞溜水ポンプ１８の運転を開始する。これによって、ポンプ井４内の雨水を汚水沈砂池２３に移送して沈砂池２内に貯溜されている雨水量を軽減し，同時にポンプ井４内に貯溜された雨水等の下水の水面高さを調節する。
ステップ４
ポンプ井４中の雨水等の下水の水面高さが所要の高さとなると、滞溜水ポンプ１８の運転を停止する。
ステップ５
ステップ４で第１の雨水沈砂池２内の雨水量が軽減され，かつポンプ井４内の雨水等の下水の水面高さの調節が完了したので、下水の汚水沈砂池２３への移送が不要となり滞溜水ポンプ切換弁１９を閉とする。
ステップ６
ステップ５で準備作業が完了したので、ステップ６において、後から詳しく説明する第１の雨水沈砂池２での所定の除砂動作が行なわれる（図８参照）。
ステップ７
ステップ６において第１の雨水沈砂池２の除砂動作が完了すると、これに続いて第２の雨水沈砂池３の除砂動作を行なう。なお、この第２の雨水沈砂池３の除砂動作は第１の雨水沈砂池２における除砂動作と同様であるので詳述しない。
ステップ８
ステップ７で第２の雨水沈砂池３における除砂動作が完了すると、滞溜水ポンプ切換弁１９を開く。ステップ９でのポンプ井４からの下水移送の準備動作である。
ステップ９
この後、滞溜水ポンプ１８の運転を開始し、ポンプ井４に残留する下水を汚水沈砂池２３に移送する。
【００６２】
これは、ポンプ井４中に雨水等の下水が滞溜したままとしておくと、滞溜水が腐敗して悪臭を生じるので、これを軽減するためである。
ステップ１０
ポンプ井４内の雨水等が所定の少量にまで減少した後、滞溜水ポンプ１８の運転を停止する。
【００６３】
これにより、ポンプ井４内がドライ化され、悪臭の発生が軽減される。
ステップ１１
ステップ１０でポンプ井４内がドライ化された後、滞溜水ポンプ切換弁１９を閉じる。
【００６４】
そして、前記ステップ６において行なわれる第１の沈砂池処理の具体的内容は、図８に示すとおりである。
ステップ１０１
第１の沈砂池処理に入ると、まず、第１の雨水沈砂池２に設置された揚砂ポンプ１１の自動運転が開始する。
【００６５】
この揚砂ポンプ１１は、第１の雨水沈砂池２内に滞溜する水の水面が集砂ピット８内に位置した排水状態を維持するものであって、その集砂ピット８内の水位が一定以上の場合に自動的に運転を行い，水位がそれより低くなるとその運転が自動的に停止するものである。
【００６６】
この自動運転による揚砂ポンプ１１の駆動が停止し、集砂ピット８中の水位が一定より低くなった後、ステップ１０２に進む。
ステップ１０２
ステップ１０２においては、第３の集砂弁２７を開き、滞溜水ポンプ１８の駆動準備を行なう。
ステップ１０３
ステップ１０３で滞溜水ポンプ１８の運転を開始する。これによって、第１および第２のトラフ１２，１３の外側端部に配置された各給水ノズル１５から比較的低圧（例えば1kg/cm2）で水が吐出され、前記第１および第２のトラフ１２，１３中に堆積された土砂が集砂ピット８に移送される。
【００６７】
これにともなって、前記集砂ピット８の水位が上昇するので、前記揚砂ポンプ１１は適宜駆動を開始し、集砂ピット８に集められた土砂は汚水沈砂池２３に移送される。
【００６８】
そして、前記滞溜水ポンプ１８の吐出量が揚砂ポンプ１１の吐出量より小さいので、揚砂ポンプ１１は集砂ピット８内の水位が所定の位置に低下した時点で自動的にその停止を行なう。
【００６９】
なお、揚砂ポンプ１１のこのような動作は以下の各ステップにおいてもフローチャートとは独立して自動的に行なわれるものである。
ステップ１０４
ステップ１０３の後、第１の集砂弁２５を開く。これによって、領域Ａに堆積された土砂は、給水ノズル１５群からの給水により底部７の表面から洗い流され、前記小トラフ１４および第２のトラフ１３を経て集砂ピット８に集められ、揚砂ポンプ１１で排出される。
ステップ１０５
時間Ｔ1の経過後、第１の集砂弁２５を閉じ、第２の集砂弁２６を開く。
【００７０】
この時間Ｔ1は、前記領域Ａに堆積した土砂を洗い流すのに要する時間であり、例えば１分程度であるが、堆積した土砂量に応じて適宜調節することが好ましい。
ステップ１０６
時間Ｔ2の経過後、第２の集砂弁２６を閉じ、第４の集砂弁２８を開く。時間Ｔ2は領域Ｂに堆積した土砂を洗い流すのに必要な時間である。
ステップ１０７
時間Ｔ3の経過後、第４の集砂弁２８を閉じ、第５の集砂弁２９を開く。時間Ｔ3は領域Ｄに堆積した土砂を洗い流すのに必要な時間である。
ステップ１０８
時間Ｔ4の経過後、第５の集砂弁２９を閉じる。時間Ｔ4は領域Ｃに堆積した土砂を洗い流すのに必要な時間である。
ステップ１０９
時間Ｔ5の経過後、滞溜水ポンプ１８の駆動を停止させ、第３の集砂弁２７を閉じる。
ステップ１１０
時間Ｔ6の経過後、前記揚砂ポンプ１１の自動運転を解除してその駆動を停止させて第１の雨水沈砂池２の処理を終了する。
【００７１】
時間Ｔ6は、底部７に付着した雨水等が集砂ピット８まで流れ落ち、第１の雨水沈砂池２を確実に排水するための時間である。
【００７２】
このような動作を行なうこの実施例において、給水ノズル１５からの水による土砂の集砂ピット８への移送状況を詳しく説明すると次のようである。
【００７３】
第１の雨水沈砂池２を、その中に滞溜する水の水面が前記集砂ピット８内に位置した排水状態として、底部７が空気中に露出した状態とした後、例えばステップ１０４のように前記給水ノズル１５から比較的低圧で水が吐出する。
【００７４】
このとき給水ノズル１５は、小トラフ１４と平行に設置され、第２のトラフ１３方向に向けて小エリア７ａの表面に吹き付けるように水を吐出するので、小エリア７ａ上に堆積した土砂は、その給水ノズル１５からの水により、小エリア７ａ上から第２のトラフ１３あるいは小トラフ１４に洗い落とされる。
【００７５】
このとき、同一の領域に属する各給水ノズル１５は前記のように同時に水を同方向に吐出し、各給水ノズル１５からの水はそれぞれの各小エリア７ａ上を流れるが、隣接する小エリア７ａとの間に小トラフ１４が配置されているので、各給水ノズル１５からの水や土砂が隣の小エリア７ａ上に移動することがなく、各給水ノズル１５からの水等が隣の小エリア７ａでの集砂作業を妨げることが防止される。
【００７６】
小トラフ１４に洗い落とされた土砂は、その小トラフ１４の両側の小エリア７ａに設置された給水ノズル１５からの水が、その小トラフ１４に両側から流れ落ち集合するので、その水によって、その小トラフ１４の傾斜にしたがって第２のトラフ１３に向けて移送される。
【００７７】
そして、第２のトラフ１３に達した土砂は、前記同一の領域に設置された各給水ノズル１５からの水が各小トラフ１４等から第２のトラフ１３に合流するので、その多量の水によって集砂ピット８に向けて移送され、集砂ピット８において前記揚砂ポンプ１１で沈砂池２外にくみ出される。
【００７８】
なお、前記領域の第１のトラフ１２側端部に位置する小エリア７ａにおいては、その上に堆積した土砂の一部は、前記と同様に小トラフ１４および第２のトラフ１３を経て集砂ピット８に移送されるが、残部は小エリア７ａの縁部から第１のトラフ１２内に洗い落とされて集砂ピットに達する。
【００７９】
このように、この実施例において、底部７上に堆積した土砂は、主に前記小トラフ１４，第２のトラフ１３，第１のトラフ１２を経て集砂ピットに集められるものである。
【００８０】
そして、この土砂を移送するための水も前記各トラフ１４，１３，１２に集中的に合流させるものであるので、流水トラフとして比較的少量の水であってもそれによる土砂の移送能力は大きい状態に維持されている。
【００８１】
以上説明した第１実施例においては、第１の雨水沈砂池２を前記の排水状態として、底部７を空気中に露出した状態とするので、従来のように底部に堆積した土砂の一部が下水中に舞い上がって浮遊し、その後に底部に再度沈澱して堆積することがない。
【００８２】
また、第１の雨水沈砂池２の底部７に、小トラフ１４と第２のトラフ１３により、集砂ピット８に連なり，集砂ピット８側を低く形成したトラフを形成してあるので、各給水ノズル１５からの水で動かされる土砂は、前記小トラフ１４等に捕捉され、この小トラフ１４等には各給水ノズル１５からの水が集中して流れるので、土砂を確実に集砂ピット８に移送することができる。
【００８３】
したがって、この第１実施例によれば、従来より集砂の効率を高めることができる。
【００８４】
とくに、この実施例の除砂装置においては、前記領域Ａの給水ノズル１５群と領域Ｃの給水ノズル１５群，および前記領域Ｂの給水ノズル１５群と領域Ｄの給水ノズル１５群とは水の吐出方向が互いに向き合った位置関係に配置され、両者の領域に堆積された土砂の流路として第２のトラフ１３が共用される関係になっているが、この実施例では図８のように、各領域毎に順次給水を行なうこととして、土砂による前記第２のトラフ１３のつまりを防止し、揚砂ポンプ１１の負担を平準化させることにより、前記第２のトラフ１３や揚砂ポンプ１１の能力が比較的小さいものであっても円滑に集砂できるようになっている。
【００８５】
なお、前記の第１実施例においては、前記時間Ｔ1〜Ｔ6をそれぞれ異なる最適の数値のものとすることが好ましいが、一律に一定値として制御を簡素化することとしてもよい。
【００８６】
以上説明した実施例において、前記各領域を構成する底部７は、全体として概ね平面状に形成されたものであるが、これに限らず、次に示す第２実施例のように構成してもよい。
【００８７】
第２実施例は、図９〜図１１に示すように、底部７に段部を形成したもので、前記第１実施例と同様に第１のトラフ１２と第２のトラフ１３とで底部７を領域Ａ〜領域Ｄの４つの領域に区分するとともに、これらの各領域を前記第２のトラフ１３と平行に形成された段部でさらに細分化したものである。
【００８８】
例えば、図９に示す領域Ｃについて具体的に説明すると、領域Ｃは段部Ｃ1，Ｃ2，Ｃ3の３つに区分され、これらの段部Ｃ1，Ｃ2，Ｃ3上を経由して前記第２のトラフ１３に直交する方向に延在する小トラフ１４が一定間隔で形成されている。
【００８９】
そして、この第２実施例においては、各段部Ｃ1，Ｃ2，Ｃ3毎に給水ノズル群を配置し、これらに堆積した土砂の第２のトラフ１３への移送を行なわせることとしたものである。
【００９０】
なお、給水ノズル群は区別のため、以下において、段部Ｃ1に対応して水を吐出するものを給水ノズル１５C1、段部Ｃ2に対応するものを給水ノズル１５C2、段部Ｃ3に対応するものを給水ノズル１５C3のように表示することとし、また、前記実施例と同様の点については説明を繰り返さない。
【００９１】
これらの給水ノズル１５C1，１５C2，１５C3は、図１１に示すように、前記第１実施例と同様の第５の集砂弁２９の下流側に３つの分岐管を設け、それらの各分岐管に設置された，前記の集砂弁と同様の電動弁からなる下段集砂弁３１，中段集砂弁３２，上段集砂弁３３を介してそれぞれが設置されている。
【００９２】
このような第２実施例においては、まず、上段集砂弁３３を開いて給水ノズル１５C3から水を段部Ｃ3上に吐出させ、段部Ｃ3上に堆積した土砂を小トラフ１４または下側の段部Ｃ2まで洗い落とす。
【００９３】
この後、前記上段集砂弁３３を閉じ、代わりに中段集砂弁３２を開いて給水ノズル１５C2から段部Ｃ2上に水を吐出させ、土砂を前記と同様に小トラフ１４または下側の段部Ｃ1上に洗い落とす。この際、先に段部Ｃ3から落とされた土砂は、段部Ｃ2上に堆積した土砂とともに、さらに下側の段部Ｃ1上に洗い落とされる。
【００９４】
最下段の段部Ｃ1においても、前記中段集砂弁３２の閉止に代えて開かれる下段集砂弁３１を経て給水ノズル１５C1から水が吐出され、これによって、前記段部Ｃ2から落下した土砂とともに、段部Ｃ1上に堆積した土砂は、同様にして第２のトラフ１３に到達し、第２のトラフ１３は前記第１実施例と同様にその土砂を集砂ピット８に移送する。
【００９５】
なお、この第２実施例においては、その他の領域Ａ，Ｂ，Ｄも前記と同様の構造によって前記と同様に土砂の移送が行なわれるものである。
【００９６】
このような第２実施例においては、各給水ノズル１５C1，１５C2，１５C3による土砂の移送距離が小さいので、土砂を確実に第２のトラフ１３に移送することができ効率的に集砂することができる。
【００９７】
次に図１２により第３実施例を説明する。
【００９８】
この第３実施例は、前記第２のトラフ１３の設置を省略するとともに、前記第１のトラフ１２を全体として集砂ピット８とし、さらに段部Ｃ1，Ｃ2，Ｃ3，Ｃ4，Ａ1，Ａ2，Ａ3，Ａ4を第１の雨水沈砂池２の幅方向に延びる前記集砂ピット８と平行に底部７に形成したことが前記第２実施例と異なる。
【００９９】
この第３実施例においても、第１の沈砂池２の長手方向断面においては、前記図１０と概ね同様であり、前記第２実施例と同様に土砂の移送が行なわれるものである。
【０１００】
前記した第２実施例およびこの第３実施例においても、底部７を実質的に空気中に露出した状態とするので、従来のように底部に堆積した土砂の一部が下水中に舞い上がって浮遊し、その後に底部に再度沈澱して堆積することがない。
【０１０１】
また、底部７に、集砂ピット８に連なり，集砂ピット８側を低く形成したトラフを形成してあるので、土砂を確実に集砂ピット８に移送することができ、従来より集砂の効率を高めることができる。
【０１０２】
【発明の効果】
以上説明したように、本発明に従えば、水を用いて沈砂池に堆積した土砂を集砂ピットに集めるものでありながら、集砂の効率を高めることのできる沈砂池の集砂装置を提供することができる。
【図面の簡単な説明】
【図１】雨水沈砂池の平面図である。
【図２】第１実施例の雨水処理設備の概略断面図である。
【図３】雨水沈砂池の要部を拡大した断面図である。
【図４】図３のＰ−Ｐ線に沿う断面図である。
【図５】図３のＱ−Ｑ線に沿う断面図である。
【図６】第１実施例の除砂装置の全体回路説明図である。
【図７】第１実施例の除砂装置の全体動作のフローチャートである。
【図８】第１の雨水沈砂池の処理内容のフローチャートである。
【図９】第２実施例の底部を拡大した平面図である。
【図１０】図９のＲ−Ｒ線に沿う断面図である。
【図１１】第２実施例の除砂装置における回路の要部説明図である。
【図１２】第３実施例の底部全体を示す平面図である。
【符号の説明】
２  第１の雨水沈砂池
７  底部
８  集砂ピット
１２  第１のトラフ
１３  第２のトラフ
１４  小トラフ
１５  給水ノズル
【図１】
0003708442.tif 000002
【図２】
0003708442.tif 000003
【図３】
0003708442.tif 000004
【図４】
0003708442.tif 000005
【図５】
0003708442.tif 000006
【図６】
0003708442.tif 000007
【図７】
0003708442.tif 000008
【図８】
0003708442.tif 000009
【図９】
0003708442.tif 000010
【図１０】
0003708442.tif 000011
【図１１】
0003708442.tif 000012
【図１２】
0003708442.tif 000013